(57)【特許請求の範囲】
【請求項１】
部材への罫書きに使用することのできる罫書き用計測具において、
方形基板の一又は二以上の角に逃げ部が設けられ、逃げ部は逃げ部を挟む二辺のいずれか一方の辺を罫書きする部材に宛がい、他方の辺を罫書きする部材と直角方向の他の部材に宛がうと、両部材の溶接ビードを回避することのできる大きさの傾斜面又は湾曲面であり、
前記逃げ部を挟む二辺の双方又はいずれか一方の辺に長さ目盛と長さ数値が表示され、
前記長さ目盛と長さ数値は、前記二辺を延長させた仮想直線の交点を起点とする長さ目盛、長さ数値であり、
逃げ部が方形基板の二以上の角に形成されたときは、それら二以上の逃げ部の形状、サイズが同じ、又は異なる、
ことを特徴とする罫書き用計測具。
【請求項２】
請求項１記載の罫書き用計測具において、
方形基板に十字状に直交する基準線を表示して、この基準線に沿って、十字線を罫書きできるようにした、
ことを特徴とする罫書き用計測具。
【請求項３】
請求項１又は請求項２記載の罫書き用計測具において、
長さ目盛が表示された辺以外の辺に、太さの異なる数本のクラック測定線と、各クラック測定線の太さを示す線幅数値が表示された、
ことを特徴とする罫書き用計測具。
【請求項４】
請求項１から請求項３のいずれか１項に記載の罫書き用計測具において、
方形基板に径の異なる二以上の円形目盛が同心円上に表示され、
円形目盛の周方向任意箇所から外側に放射状に延びる数本の角度線と角度数値が表示された、
ことを特徴とする罫書き用計測具。
【請求項５】
請求項１から請求項４のいずれか１項に記載の罫書き用計測具において、
方形基板の一辺に、起点を逆にした長さ目盛と長さ数値が２行に併記され、
前記長さ数値が上下逆向きに併記された、
ことを特徴とする罫書き用計測具。
【請求項６】
請求項１から請求項５のいずれか１項に記載の罫書き用計測具において、
方形基板が透明又は半透明であり、方形基板の表裏両面又は片面に表示された目盛、数値等の表示が表裏いずれの面からも読み取り可能である、
ことを特徴とする罫書き用計測具。
【請求項７】
請求項４から請求項６のいずれか１項に記載の罫書き用計測具において、
円形目盛の中心部に、既設ボルトの軸端部の中心部を罫書きするための中心罫書き用孔が開口された、
ことを特徴とする罫書き用計測具。
【発明の詳細な説明】
【技術分野】
【０００１】
本発明は橋梁や高架道路の桁、ビルやその他の既存の鋼構造物といった各種構造物の鋼材に部材取付け箇所や孔あけ箇所等を罫書きする際に、罫書きに先立って罫書き箇所を計測し、位置決めするのに使用できる罫書き用テンプレート（罫書き用計測具）に関する。
【背景技術】
【０００２】
前記のような既存の各種鋼構造物を改造（改良）し部材を取り付けたりする工事に際しては、鋼材に罫書きする作業（罫書き作業）が行われる。従来は、差し金や、下げ振り、水糸等を用いて罫書き箇所を決め、その箇所に罫書き用具を使用して罫書きしていた。桁のフランジとウェブが溶接されている場合、桁ウェブに罫書きするためには隅肉溶接のビード（溶接ビード）をかわして（回避して）罫書き位置を決めてする必要がある。
【０００３】
罫書き箇所を位置決めするには、従来は、差し金を二本重ねて組み合わせ、直角・平行を罫書きしていた。あるいは、計測する際に、直接ではなく一度、ビードをかわした位置に補助線（逃げ墨）をひいて、それを利用して計測していた。罫書き用具としては特許文献１〜３に示すものがある。
【先行技術文献】
【特許文献】
【０００４】
【特許文献１】特開平０８−１０１００１号公報
【特許文献２】特開２００６−１５９３１２号公報
【特許文献３】特開２０１４−２２７６５３号公報
【発明の概要】
【発明が解決しようとする課題】
【０００５】
罫書き箇所の位置決めに、差し金を二本重ねて組み合わせ、直角・平行を罫書きする場合は、熟練しないと使い勝手が悪かった。特許文献１に示す罫書き用具は、溶接ビードを逃げるための凹部はあるが、二つの計測ゲージの組み合わせであるため使いにくかった。特許文献２、３は溶接ビードの逃げがないため溶接ビードのある箇所では使いにくいとか、溶接ビードが邪魔になって正確な罫書き位置を計測しにくいという難点がある。
【０００６】
本発明の解決課題は溶接ビードのある鋼材でも、溶接ビードを回避して正確な計測と位置決めができ、使い勝手が良く、また、熟練者でなくても確実な罫書き作業ができ、作業着のポケットに収容できるサイズ（ポケットサイズ）で携行に便利な罫書き用計測具を提供することにある。
【課題を解決するための手段】
【０００７】
本発明の罫書き用計測具は、方形基板の四つのコーナー（四角）のうちの一又は二以上の角に逃げ部があり、逃げ部は方形基板の逃げ部を挟む二辺のいずれか一方の辺を罫書きする部材に宛がい、他方の辺を罫書きする部材と直角方向の他の部材に宛がうと、両部材の溶接ビードを回避することのできる角度の斜面又は湾曲面としてある。本発明の罫書き用具では、逃げ部を挟む二辺の双方又はいずれか一方に長さ目盛と長さ数値が表示されている。前記長さ目盛と長さ数値は逃げ部を挟む二辺を延長させた仮想直線の交点を起点として表示されている。逃げ部が方形基板の二以上の角に形成された場合は、逃げ部の形状、サイズは同じものでも異なるものでもよい。逃げ部が斜面の場合はその傾斜角度、斜面の長さを同じ又は異なるものとすることができる。逃げ部が湾曲面の場合は曲面の大きさ（円弧の半径）が同じものでも異なるものもよい。逃げ部のサイズは溶接ビードに干渉しないことから決められる。
【０００８】
前記長さ目盛が表示された辺以外の辺には、太さの異なる数本のクラック測定線を表示することもできる。クラック測定線の近くにはそれらクラック測定線の太さを示す線幅数値を表示してある。クラック測定線は鋼材に入ったクラックに宛がうことによりクラックの幅を計測することができる。もちろんこのクラック測定線はコンクリートに入ったクラックの幅も計測できる。
【０００９】
方形基板には円形目盛と孔径数値を表示することもできる。円形目盛は同心円状に二以上表示することができる。これら円形目盛の周方向任意箇所の目盛から外に放射状に延びる数本の角度線と角度数値を表示することもできる。角度線はその延長線上の辺まで表示することができる。
【００１０】
方形基板は不透明なものであってもよいが、透明又は半透明なものにして、方形基板の表裏両面又は片面に表示された円形目盛、クラック測定線、長さ数値、線幅数値等を方形基板の表裏いずれの面からも読み取り可能にすると便利である。
【００１１】
長さ目盛は起点を逆にしたものを方形基板の一辺の表裏面に表示し、それら長さ目盛の近くに長さ数値を上下２行に表示し、しかも、上下２行の長さ数値を上下逆向きに表示して、方形基板を上下逆さにして計測部に宛がっても、使用しても長さ数値を正規の向きで確認できるようにしてある。２行の長さ数値は色違いで表示して、夫々の行の長さ数値を判別し易くすることもできる。目盛はインチ表示やラジアン表示を適用することもできる。
【００１２】
方形基板に十字状に直交する基準線を表示し、この十字状の基準線の途中又は延長線上に切り込みや孔を開けておき、それら切り込みや孔にペンを宛がって基準線に沿って四方に目印を表示し、対向する目印同士を結んで直線を引くと、十字線を罫書きできるようにすることもできる。また、方形基板の中央側に表示した円形目盛の中心部に、既設ボルトの軸端部の中心部を罫書きするための中心罫書き用孔を開口することもできる。
【発明の効果】
【００１３】
本発明の罫書き用計測具は次の効果を奏する。
（１）溶接ビードを逃げ部で回避できるので、一方の辺を罫書きする部材に宛がい、他方の辺を罫書きする部材と直交方向の他の部材に宛がって、罫書き位置を正確に計測することができる。
（２）逃げ部を挟む二辺の双方又は一方に長さ目盛と長さ数値が表示されているので、罫書き箇所の寸法計測が容易にできる。
（３）計測目盛が逃げ部を挟む二辺の交点を起点として表示されているので、溶接ビードを逃げ部で回避しても精度の高い計測ができる。
（４）クラック測定線と線幅数値を表示した場合は、クラック測定線をクラックに宛がってクラックの幅を簡易に確認することができ、線幅数値でクラック幅を数値で読み取ることもできる。
（５）円形目盛を表示することにより、鋼材に開口されているボルト差込み孔や他の孔に宛がって孔径を容易に計測することもできる。
（６）円形目盛の周方向数箇所に、円形目盛の外側に放射状に延びる数本の角度線を表示することにより、鋼材に宛がって十字罫書きをしたり、角度計測を行ったりすることができる。
（７）方形基板を透明又は半透明にした場合は、長さ数値、線幅数値等を方形基板の表裏両面から読み取ることができて便利である。
（８）長さ数値を左右逆方向の起点から上下に２行に表示し、２行の長さ数値を上下逆向きに表示した場合は、方形基板を上下逆さにして鋼材に宛がっても、前記２行の数値のうちのいずれかの数値の上下が正規の向きになるので数値の読み間違いが生じにくい。
（９）方形基板に十字状に直交する基準線を表示した場合は、この基準線に沿って十字線を容易に罫書きすることができる。
（１０）方形基板の基準線の途中又は延長線上に切り込みや孔を開けておくと、それら切り込みや孔の位置にペンで目印を表示でき、対向する目印同士を結んで直線を引いて十字線を手軽に罫書きすることができる。
（１１）方形基板に中心罫書き用孔を設けた場合は、既設ボルトの軸端部の中心位置を容易に罫書きすることができ、二以上の既設ボルトの間隔を計測することができる。
【図面の簡単な説明】
【００１４】
【図１】本発明の罫書き用計測具の一例を示す正面図。
【図２】本発明の罫書き用計測具の一例を示す背面図。
【図３】本発明の罫書き用計測具の他例を示す正面図。
【図４】溶接ビードを逃げて本発明の罫書き用計測具を使用する場合の説明図。
【図５】本発明の罫書き用計測具を使用して孔径を計測する場合の説明図。
【図６】本発明の罫書き用計測具を使用して狭隘部で十字罫書きする場合の使用説明図。
【図７】本発明の罫書き用計測具を使用して鋼材のクラック幅を計測する場合の説明図。
【図８】（ａ）〜（ｆ）は本発明の罫書き用計測具の説明図であり、（ａ）は平面図、（ｂ）は正面図、（ｃ）は底面図、（ｄ）は背面図、（ｅ）は左側面図、（ｆ）は右側面図。
【発明を実施するための形態】
【００１５】
本発明の罫書き用計測具の一例を図面に基づいて説明する。図１の方形基板１は透明（又は半透明）の樹脂製の薄板であり、四つのコーナー（四角）２ａ〜２ｄのうちの二つの角（図１の底辺左右の角）２ａ、２ｂを斜めに切欠いて逃げ部３ａ、３ｂを設けてある。
【００１６】
（基板）
本発明の罫書き用計測具の基板は、溶接された二枚の板（縦板と横板）に宛がうことのできる二辺を備えたものであれば、長方形、正方形、直角三角形など各種形状のものを使用することができるが、以下の実施例では長方形基板（方形基板）の場合を一例として説明する。
【００１７】
方形基板１のサイズは特に制約されないが、一例としては、名刺サイズ、キャッシュカードやクレジットカードといった各種カードサイズ、手帳サイズ等にすることができる。サイズの具体的数値例としては１５０ｍｍ×９０ｍｍ、１００ｍｍ×６０ｍｍ、９０ｍｍ×５５ｍｍ、厚さｔ＝とすると、ポケットに入れて携行するのに便利であり、手帳などに挟んでおくこともできる。厚さは０．数ｍｍ〜数ｍｍ程度が適する。
【００１８】
方形基板１は透明又は半透明なものとすることにより、方形基板１の表裏両面又はいずれか一方の面に表示された長さ目盛、長さ数値、クラック測定線、線幅数値、円形目盛、基準線、孔径数値、角度計測線、角度数値等を、表裏面のいずれの面からも視認することができるが、不透明なものであってもよい。
【００１９】
（逃げ部の例１）
逃げ部３ａは斜面にしてあり、逃げ部３ａを挟む二辺のうちのいずれか一方の辺４を罫書きする鋼材５（図４）に宛がい、他方の辺６を罫書きする部材５と直角方向の他の鋼材７に宛がうと、鋼材５と鋼材７を溶接した溶接ビード８（図４）を回避できる大きさの斜面にしてある。逃げ部３ａ、３ｂの傾斜角度（斜面）、大きさ（長さ）は任意に設計することができる。図１に示す二箇所の逃げ部３ａは１０Ｃ（１０ｍｍの長さで４５°面取り）、３ｂは１５Ｃ（１５ｍｍの長さで４５°面取り）と異なっているが、同じサイズにすることもできる。
【００２０】
（長さ目盛：長さ数値）
方形基板１のうち、一つの逃げ部３ｂを挟む二辺４、９に長さ目盛１０、１１が表示されている。長さ目盛１０、１１は逃げ部３ａを挟む二辺４、６の交点（角）２ａ、二辺４、９の交点２ｂの夫々を起点として逃げ部３ａ、３ｂ側から（外側から）内側に表示されている。夫々の長さ目盛１０、１１の近くには、夫々の起点２ａ、２ｂからの寸法を示す長さ数値（単位ｍｍ）１２、１３が表示されている。
【００２１】
方形基板１のうち、他の一辺（図１、図２の上辺）１４には長さ目盛１５が表示され、その長さ目盛１５の近くに、一方の角２ｃを起点とする長さ数値（単位ｍｍ）１６と他方の角２ｄを起点とする長さ数値（単位ｍｍ）１７とが上下２行に表示されている。長さ数値１６と１７は上下逆向きに表示され、しかも色違い（例えば、一方の長さ数値１６は黒色、他方の長さ数値１７は赤色）で表示して、方形基板１を上下逆さにして鋼材５或いは７（いずれも図４）に宛がっても、正規の向きで読み取ることができるようにしてある。
【００２２】
（クラック測定線：線幅数値）
方形基板１の他の一辺６（図１の左辺）には太さの異なるクラック測定線１８が数本表示されている。クラック測定線１８の近くにはクラック測定線１８の太さを示す線幅数値（単位ｍｍ）１９が表示されている。このクラック測定線１８を鋼材５（図７）に入ったクラック（亀裂）２０に宛がい、クラック２０と同じ（ほぼ同じ）幅のクラック測定線１８の線幅数値１９を読み取って、クラック２０の幅を計測することができるようにしてある。
【００２３】
（円形目盛：基準線、基準目盛）
方形基板１の中央部（略中央部）には径の異なる複数の円形目盛２１ａ、２１ｂ、・・・が同心円状に表示されている。これら円形目盛２１ａ、２１ｂ、・・・を９０度間隔で十字状に横断して四本の基準線２２が表示され、それら基準線２２の上に基準目盛２３、孔径数値（単位ｍｍ）２４が表示されている。図１にはφ１０（孔径１０ｍｍ）、φ２０（孔径２０ｍｍ）の孔径数値が表示されている。
【００２４】
（角度目盛：角度数値）
前記四本の基準線２２の間には、４本の角度計測線２５が円形目盛２１ａ、２１ｂ、・・・を斜めに横断して放射状に表示されている。これら角度計測線２５は方形基板１の四辺まで延長表示してある。それら角度計測線２５の上にそれら角度計測線２５の角度を示す角度数値２６が表示されている。角度数値２６はいずれかの基準線２２を起点として時計回り方向と反時計回り方向の二種類の数値を表示してある。二種類の角度数値２６は異なる色（例えば、時計回りの数値を赤色、反時計回りの数値を黒色）で表示して、目視判別し易くしてある。
【００２５】
（逃げ部の例２）
本発明における逃げ部３ａ、３ｂは溶接ビード８（図４）を回避することができる形状であれば、斜面以外の形状であってもよく、例えば、図３に示すような湾曲面とすることもできる。この場合も、逃げ部３は方形基板１の二以上の角に形成することができ、二つの角の逃げ部３ａ、３ｂの湾曲面は大きさ（円弧の半径）が同じものでも異なるものでもよい。
【００２６】
（罫書き用切り込み部）
本発明における罫書き用計測具では、図３のように、四辺４、６、９、１４のうち基準線２２の延長線上に罫書き用切り込み３４を設けることができる。この場合は、罫書き用切り込み３４にペンを宛がって基準線２２に沿って四方に目印を表示し、対向する目印同士を結んで直線を引くと十字線を罫書きすることができる。罫書き用切り込み３４を設けることにより、十字罫書きの精度が上がり罫書きやすくなる。罫書き用切り込み３４は例えば図３に示すようなＶ字型が適するが、Ｖ字型以外の形状、Ｕ字型、コ字型などであってもよい。
【００２７】
（罫書き用孔）
本発明における罫書き用計測具では、図１、図２のように、二本の基準線２２の途中に罫書き用孔３３を開口しておくこともできる。罫書き用孔３３を設けた場合はその孔３３にペンを宛がって目印を表示し、対向する目印同士を結んで直線を引くと十字線を罫書きすることができる。
【００２８】
（中心罫書き用孔）
構造物に既設ボルトがある場合、二以上の既設ボルトの間隔を計測する必要がある。そのためには、既設ボルトの軸端部の中心位置に罫書きする必要があり、軸端部の中心位置を求めることが必要とされる。図１〜図３のようにの方形基板の中央部に表示した同心円の中心部に中心罫書き用孔３５をあけると、ボルトの軸端部の中心位置を容易に罫書くことができる。中心罫書き用孔３５のサイズ（直径）は、５ｍｍ以下が好ましい。
【００２９】
（使用例１：罫書き）
本発明の罫書き用計測具は図４のように使用することができる。
図４は横鋼材５に縦鋼材７が隅肉溶接されている場合であり、横鋼材５に罫書きするのに先立って、横鋼材５に罫書き位置を計測、表示する場合である。
（１）図４に示すように、方形基板１の一辺４を罫書きする横鋼材５に宛がい、その辺４と直交する他の一辺６を罫書きする横鋼材５と直角に溶接されている縦鋼材７に宛がう。このとき、逃げ部３ａ（３ｂ）を溶接ビード８の外側に被せて、逃げ部３ａ（３ｂ）が溶接ビード８に接触しないようにする。
（２）前記状態で、横鋼材５に宛がった辺４に表示されている目盛を読んで、横鋼材５の罫書き位置に目印３１を付す。
（３）前記目印３１に罫書き具を使用して罫書きする。
【００３０】
（使用例２：孔径測定）
本発明の罫書き用計測具を使用して鋼材あるいはコンクリートに開口されている孔（例えばボルト孔）の大きさ（径）を測定するには、次のように使用することができる。
（１）図５に示すように、横鋼材５に開口されている孔３０の上に罫書き用計測具の円形目盛２１ａ、２１ｂ、・・・を重ねる。
（２）孔３０と同じ大きさの円形目盛に表示されている孔径数値２４を読み取って孔径を確認する。
【００３１】
（使用例３：十字罫書き）
本発明の罫書き用計測具を使用して鋼材あるいはコンクリートに十字状に罫書きするには、次のように使用することができる。
（１）図６に示すように、縦鋼材７の上に罫書き用計測具を宛がう。
（２）罫書き用計測具の基準線２２に沿ってマジックペン等を使用して目印３１（図６）を表示する。このとき長辺側では、罫書き用孔３３を利用して目印３１を表示することもできる。この場合、十字線を短くコンパクトに罫書きすることができる。
（３）前記目印３１間を直線状に結んで十字状に罫書きする。
【００３２】
（使用例４：クラック幅測定）
本発明の罫書き用計測具を使用してコンクリート部材３２（図７）のクラック幅を測定するには、次のように使用することができる。
（１）図７に示すように、コンクリート部材３２に入っているクラック２０に本発明の罫書き用計測具を宛がって、クラック２０の幅と同じ幅のクラック計測線１８を確認する。
（２）クラック２０の幅と同じ幅のクラック計測線１８に表示されている線幅数値１９を読み取ってクラック幅を確認する。
【００３３】
（使用例５：高力ボルトの回転角の測定）
本発明の角度目盛を使用して高力ボルトの管理で用いるナットの回転角度を測定するには、次のように使用することができる。
（１）接触面の肌隙がなくなる程度にトルクレンチで締めた状態または組み立て用スパナで力いっぱい締めた状態で、ナットとナットからのぞいているボルトの端部を一直線になるようにマーキングする。
（２）レンチ等を用いて所定以上の回転角をナットに与える。このとき、ボルトの端部に罫書いたマーキングの線とナットに罫書いたマーキングの線とがなす角度をこの角度目盛りを利用して測定する。
【００３４】
（使用例６：既設ボルトの間隔の測定）
本発明における中心罫書き用孔を使用して構造物に取り付けられている既設ボルトの間隔を測定するには、次のように使用することができる。
（１）図１〜図３に示す方形基板の中央部に表示した同心円の中心部に中心罫書き用孔３５を設ける。
（２）ボルトの端部である軸端部の中心位置を罫書きするために前項（１）により中心罫書き用孔のあいた方形基板を用いて軸端部が方形基板に描かれた円形目盛を利用して円形の軸端部が同心円上に来るように方形基板をあてがう。
（３）あてがった方形基板の中心罫書き用孔を利用して軸端部に罫書きを行う。
（４）（３）の作業を他の軸端部にも罫書きを行う。
（５）軸端部に罫書きされた箇所を計測することでボルトの間隔を計測することができる。
【産業上の利用可能性】
【００３５】
本発明の罫書き用計測具は、前記した使用例以外の用法で使用することもできる。
【符号の説明】
【００３６】
１    方形基板
２ａ〜２ｄ    コーナー（角）
３ａ、３ｂ    逃げ部
４    （方形基板の）辺
５    横鋼材
６    （方形基板の）辺
７    縦鋼材
８    溶接ビード
９    （方形基板の）辺
１０、１１    長さ目盛
１２、１３    長さ数値
１４    （方形基板の）辺
１５    長さ目盛
１６    長さ数値
１８    クラック測定線
１９    線幅数値
２０    クラック
２１ａ、２１ｂ    円形目盛
２２    基準線
２３    基準目盛
２４    孔径数値
２５    角度計測線
２６    角度数値
３０    孔
３１    目印
３２    コンクリート部材
３３    罫書き用孔
３４    罫書き用切り込み
３５    中心罫書き用孔
【要約】
【課題】溶接ビートを回避して正確な計測と位置決めができ、使い勝手が良く、作業着のポケットに収容できるサイズで携行に便利な罫書き用計測具を提供する。
【解決手段】  方形基板の一又は二以上の角に逃げ部が設けられ、逃げ部は逃げ部を挟む二辺のいずれか一方の辺を罫書きする部材に宛がい、他方の辺を罫書きする部材と直角方向の他の部材に宛がうと、両部材の溶接ビードを回避することのできる大きさの傾斜面又は湾曲面であり、前記逃げ部を挟む二辺の双方又はいずれか一方の辺に長さ目盛と長さ数値が表示され、前記長さ目盛と長さ数値は、前記二辺を延長させた仮想直線の交点を起点とする長さ目盛、長さ数値であり、逃げ部が方形基板の二以上の角に形成されたときは、それら二以上の逃げ部の形状、サイズが同じ、又は異なるものである。
【選択図】図１【図１】
0005788617.tif 000002
【図２】
0005788617.tif 000003
【図３】
0005788617.tif 000004
【図４】
0005788617.tif 000005
【図５】
0005788617.tif 000006
【図６】
0005788617.tif 000007
【図７】
0005788617.tif 000008
【図８】
0005788617.tif 000009